(57)【要約】  本発明はデータ受信状態をフィードバックする方法及び装置に関し、ＬＴＥ−Ａシステムで受信状態データをフィードバックするための方法は、Ａ．ユーザ端末が各搬送波成分に対するデータを伝送するためにダウンリンクサブフレームを順に整列する過程と、Ｂ．前記ステップＡで整列された結果に応じて各搬送波成分に対する最初のＸ個のダウンリンクサブフレームに対する受信状態フィードバック情報を生成する過程と、前記ＸはＭより小さいか等しく、前記Ｍは各搬送波成分でダウンリンクサブフレームの数を示し、Ｃ．各搬送波成分に対して生成された受信状態フィードバック情報を基地局に伝送する過程と、を含む。
2013526210.tif 000002
【特許請求の範囲】
【請求項１】
ＬＴＥ−Ａシステムで受信状態データをフィードバックするための方法において、
ユーザ端末が各搬送波成分に対するデータを伝送するためにダウンリンクサブフレームを順に整列する過程と、
前記整列された結果に応じて各搬送波成分に対する最初のＸ個のダウンリンクサブフレームに対する受信状態フィードバック情報を生成する過程と、前記ＸはＭより小さいか等しく、前記Ｍは各搬送波成分でダウンリンクサブフレームの数を示し、
各搬送波成分に対して生成された受信状態フィードバック情報を基地局に伝送する過程と、を含む方法。
【請求項２】
ＬＴＥ−Ａシステムで受信状態データをフィードバックするための装置において、
各搬送波成分に対するデータを伝送するためにダウンリンクサブフレームを順に整列し、前記整列された結果に応じて各搬送波成分に対する最初のＸ個のダウンリンクサブフレームに対する受信状態フィードバック情報を生成し、ここで前記ＸはＭより小さいか等しく、前記Ｍは各搬送波成分でダウンリンクサブフレームの数を示し、各搬送波成分に対して生成された受信状態フィードバック情報を基地局に伝送するユーザ端末を含む装置。
【請求項３】
前記方法で、前記ダウンリンクサブフレームを順に整列する過程は、動的データを送信するダウンリンクサブフレームとＳＰＳ（Ｓｅｍｉ  Ｐｅｒｓｉｓｔｅｎｔ  Ｓｃｈｅｄｕｌｉｎｇ）データを送信するダウンリンクサブフレームに対して高い順位から低い順位に設定された優先順位によって順に整列する過程を含み、
前記装置で、前記ユーザ端末は前記ダウンリンクサブフレームを順に整列するために、動的データを送信するダウンリンクサブフレームとＳＰＳ（Ｓｅｍｉ  Ｐｅｒｓｉｓｔｅｎｔ  Ｓｃｈｅｄｕｌｉｎｇ）データを送信するダウンリンクサブフレームに対して高い順位から低い順位に設定された優先順位によって順に整列し、
前記ＳＰＳサービスデータを送信するダウンリンクサブフレームはサブフレームインデックスによって順に整列され、前記動的データを送信するダウンリンクサブフレームはＤＡＩ（Ｄｏｗｎｌｉｎｋ  Ａｓｓｉｇｎｍｅｎｔ  Ｉｎｄｅｘｅｓ）の昇順で整列される請求項１及び２に記載の方法及び装置。
【請求項４】
前記受信状態フィードバック情報は、
最初のＸ個のダウンリンクサブフレームに対する受信状態フィードバック情報に対応する全てのＡＣＫ、最初のＸ個のダウンリンクサブフレームに対する受信状態フィードバック情報に対応する全てのＮＡＣＫ、最初のＸ個のダウンリンクサブフレームのうち一部に対する受信状態フィードバック情報に対応するＡＣＫ、最初のＸ個のダウンリンクサブフレームのうち一部に対する受信状態フィードバック情報に対応するＮＡＣＫ、最初のＸ個のダウンリンクサブフレームのうち一部に対する受信状態フィードバック情報に対応するＤＲＸのうち少なくとも１つを含む請求項１及び２に記載の方法。
【請求項５】
前記最初のＸ個のダウンリンクサブフレームに対する受信状態フィードバック情報を生成する時、最初のＸ個のダウンリンクサブフレームの各ダウンリンクサブフレームで２つのコードワードに対する受信状態フィードバック情報の空間バンドリングを行うか、最初のＸ個のダウンリンクサブフレームの各ダウンリンクサブフレームで２つのコードワードのそれぞれに対する受信状態フィードバック情報を生成する請求項１及び２に記載の方法及び装置。
【請求項６】
前記受信状態フィードバック情報を伝送する過程は、前記ユーザ端末が個別的な搬送波成分に対して生成された受信状態フィードバック情報を基地局に伝送するために共同で符号化する過程を含む請求項１及び２に記載の方法及び装置。
【請求項７】
前記搬送波成分は、セルで全てのダウンリンク搬送波成分のうち少なくとも１つ、ユーザ端末に対して構成されたダウンリンク搬送波成分、ユーザ端末に対して構成されたアクティブ搬送波成分のうちいずれか１つを含む請求項１及び２に記載の方法。
【請求項８】
前記方法で、前記受信状態フィードバック情報を生成する過程は、ユーザ端末がＭ個のダウンリンクサブフレームでＤＡＩが１であるダウンリンクサブフレームの位置に応じて受信状態フィードバック情報の形式（ｆｏｒｍ）を決定する過程と、
前記決定された形式に応じて最初のＸ個のダウンリンクサブフレームに対する受信状態フィードバック情報を生成する過程と、を含み、
前記装置で、ユーザ端末は前記最初のＸ個のダウンリンクサブフレームに対する受信状態フィードバック情報を生成する時、Ｍ個のダウンリンクサブフレームでＤＡＩが１であるダウンリンクサブフレームの位置に応じて受信状態フィードバック情報の形式（ｆｏｒｍ）を決定し、前記決定された形式に応じて最初のＸ個のダウンリンクサブフレームに対する受信状態フィードバック情報を生成する請求項１及び２に記載の方法及び装置。
【請求項９】
前記方法で前記受信状態フィードバック情報の形式（ｆｏｒｍ）を決定する過程は、前記ＤＡＩが１であるダウンリンクサブフレームの位置に応じて基地局がダウンリンクデータを送信するダウンリンクサブフレームの最大数Ｎを決定し、前記Ｎの値に対応する受信状態フィードバック情報の形式を決定する過程を含み、
前記装置で、前記ユーザ端末は前記ＤＡＩが１であるダウンリンクサブフレームの位置に応じて基地局がダウンリンクデータを送信するダウンリンクサブフレームの最大数Ｎを決定し、前記Ｎの値に対応する受信状態フィードバック情報の形式を決定する請求項８に記載の方法及び装置。
【請求項１０】
前記方法で、前記ユーザ端末がデータが受信されない搬送波成分に対する受信状態フィードバック情報としてＤＲＸを生成する過程をさらに含み、
前記装置で、前記ユーザ端末がデータが受信されない搬送波成分に対する受信状態フィードバック情報としてＤＲＸを生成する請求項１及び２に記載の方法及び装置。
【請求項１１】
前記方法で受信状態フィードバック情報を基地局に伝送する過程は、ユーザ端末が各搬送波成分に対するフィードバック状態に対してチャネル選択方式に基づいて送信を行う過程を含み、
前記装置で前記ユーザ端末は各搬送波成分に対するフィードバック状態に対してチャネル選択方式に基づいて前記受信状態フィードバック情報を基地局に送信する請求項１及び２に記載の方法及び装置。
【請求項１２】
前記チャネル選択方式は、
ＤＡＩが１であるダウンリンクデータに対するＰＤＣＣＨから２つのＡＣＫ／ＮＡＣＫチャネルを獲得するか、
ＤＡＩが１であるダウンリンクデータに対するＰＤＣＣＨから第１ＡＣＫ／ＮＡＣＫチャネルを決定し、ＤＡＩが２であるダウンリンクデータに対するＰＤＣＣＨから第２ＡＣＫ／ＮＡＣＫチャネルを決定するか、又は
ＤＡＩが１であるダウンリンクデータに対するＰＤＣＣＨから第１ＡＣＫ／ＮＡＣＫを決定し、複数の候補チャネルを上位階層によって構成し、第２つのＡＣＫ／ＮＡＣＫチャネルを示すためにＰＤＣＣＨに対するＡＲＩ（ＡＣＫ／ＮＡＣＫ  Ｒｅｓｏｕｒｃｅ  Ｉｎｄｉｃａｔｏｒ）をスケジューリングするか
複数の候補チャネルを上位階層によって構成して、実際使用されるチャネルを示すためにＰＤＣＣＨに対するＡＲＩをスケジューリングする請求項１１に記載の方法及び装置。
【請求項１３】
前記チャネル選択方式は、
ＳＰＳ（Ｓｅｍｉ  Ｐｅｒｓｉｓｔｅｎｔ  Ｓｃｈｅｄｕｌｉｎｇ）サービスの場合、上位階層によってＳＰＳサービスに対する２つのＡＣＫ／ＮＡＣＫチャネルを準静的（ｓｅｍｉ−ｓｔａｔｉｃａｌｌｙ）に割り当てるか、
第１ＡＣＫ／ＮＡＣＫチャネル及び第２ＡＣＫ／ＮＡＣＫチャネルとしての役割を行うＡＣＫ／ＮＡＣＫチャネルを準静的に構成し、複数の候補チャネルを上位階層によって構成し、実際使用されるチャネルを示すためにＳＣＣ（Ｓｅｃｏｎｄａｒｙ  ＣＣ）のＰＤＣＣＨに対するＡＲＩをスケジューリングするか、
第１ＡＣＫ／ＮＡＣＫチャネルとして役割を行うＡＣＫ／ＮＡＣＫチャネルを準静的に構成し、第２ＡＣＫ／ＮＡＣＫチャネルとして役割をするＤＡＩが１であるダウンリンクデータに対するＰＤＣＣＨからＡＣＫ／ＮＡＣＫを決定する請求項１１に記載の方法及び装置。
【請求項１４】
チャネル選択方式に従って、４ビットマッピングテーブルを用いて各搬送波成分に対する４つのフィードバック状態タイプと２ビットＡＣＫ／ＮＡＣＫ情報タイプの間の対応関係が定義され、
４番目のフィードバック状態タイプは２つの異なる場合を含み、
第１の場合はＳＰＳサービスが適用され、ユーザ端末がＤＡＩからＤＡＩが１であるＰＤＣＣＨをロスしたことを決定する場合であって、第２の場合は４番目のフィードバック状態タイプの第１の場合を除いた他の場合でのフィードバック情報を示すことを特徴とする請求項１１に記載の方法及び装置。
【請求項１５】
前記ユーザ端末がＰＣＣのデータのみを受信する時、チャネル選択方式はＬＴＥでのチャネル選択方式であり、
前記ユーザ端末が少なくとも１つのＳＣＣからサブフレームのデータを受信する時、前記チャネル選択方式は搬送波結合を支援するチャネル選択方式である請求項１１に記載の方法及び装置。
【発明の詳細な説明】
【技術分野】
【０００１】
本発明は通信技術に関し、特に、データ受信状態をフィードバックする方法及び装置に関する。
【背景技術】
【０００２】
ＬＴＥ（Ｌｏｎｇ  Ｔｅｒｍ  Ｅｖｏｌｕｔｉｏｎ）システムはＨＡＲＱ（Ｈｙｂｒｉｄ  Ａｕｔｏｍａｔｉｃ  Ｒｅｐｅａｔ  Ｒｅｑｕｅｓｔ）に基づいてデータを伝送する。前記ＨＡＲＱ方式を用いる場合、データ受信端は該当するデータの受信状態に応じてＡＣＫ又はＮＡＣＫを示す受信状態フィードバック情報を伝送する。動的ダウンリンクデータ伝送のためのスケジューリング情報はＰＤＣＣＨ（Ｐｈｙｓｉｃａｌ  Ｄｏｗｎｌｉｎｋ  Ｃｏｎｔｒｏｌ  Ｃｈａｎｎｅｌ）を介して伝送される。一方、ＳＰＳ（Ｓｅｍｉ−Ｐｅｒｓｉｓｔｅｎｔ  Ｓｃｈｅｄｕｌｉｎｇ）の場合、ダウンリンクデータに対する初期伝送スケジューリング情報はＰＤＣＣＨを介して伝送する必要がないが、ダウンリンクデータの再送時には前記ＰＤＣＣＨを介してスケジューリング情報を伝送しなければならない。
【０００３】
ＬＴＥ  ＴＤＤ（Ｔｉｍｅ  Ｄｉｖｉｓｉｏｎ  Ｄｕｐｌｅｘ）システムで、ダウンリンクサブフレームの数がアップリンクサブフレームの数より大きい場合、複数のダウンリンクサブフレームのデータに対する受信状態フィードバック情報が同じアップリンクサブフレームから共通に伝送されなければならない。この時、フィードバックに対する方法のうち１つは、データを伝送するダウンリンクサブフレームの受信状態フィードバック情報に対して「ＡＮＤ」演算を行うことによって、各コードワードに対して１ビットの受信状態情報を獲得する方式である。ダウンリンクデータ伝送はＰＤＣＣＨを介して動的にスケジュールされるため、ユーザ端末（Ｕｓｅｒ  Ｅｑｕｉｐｍｅｎｔ）が基地局から伝送されたＰＤＣＣＨを受信できない場合もある。したがって、コードワードに応じて「ＡＮＤ」演算を行う方式では伝送端と受信端の間の不一致現象が発生し得る。このような問題を解決するために、ＬＴＥ  ＴＤＤシステムではＰＤＣＣＨを伝送する無線フレームで現在のダウンリンクサブフレームのシリアルナンバーを示すＤＡＩ（Ｄｏｗｎｌｉｎｋ  Ａｓｓｉｇｎｍｅｎｔ  Ｉｎｄｅｘ）を使用する。これにより、ユーザ端末はダウンリンクサブフレームでＰＤＣＣＨがロスしたか否かを感知できる。ここで、４つのダウンリンクサブフレームを有する無線フレームの場合、前記ＤＡＩの値は１、２、３及び４である場合がある。
【０００４】
しかし、上記の方式は最後の数個のＰＤＣＣＨがロスした場合、これを感知できない問題点がある。したがって、ＬＴＥ  ＴＤＤシステムでは端末がＰＤＣＣＨを受信する少なくとも１つのダウンリンクサブフレームに対応する受信状態フィードバックチャネルに対して、受信状態フィードバック情報をフィードバックするように明示している。これにより、基地局はユーザ端末が受信状態フィードバック情報をフィードバックするチャネルから前記ユーザ端末が最後の数個のダウンリンクサブフレームに対するＰＤＣＣＨをロスしたか否かを認識できる。
【０００５】
ＬＴＥ−Ａ（Ｌｏｎｇ  Ｔｅｒｍ  Ｅｖｏｌｕｔｉｏｎ−Ａｄｖａｎｃｅｄ）システムでは、より高い伝送率を支援するために、より大きい運営帯域（ｗｏｒｋｉｎｇ  ｂａｎｄｗｉｄｔｈ）を得るために２つ以上の搬送波成分（ＣＣ：Ｃａｒｒｉｅｒ  Ｃｏｍｐｏｎｅｎｔｓ）を結合する搬送波結合（Ｃａｒｒｉｅｒ  Ａｇｇｒｅｇａｔｉｏｎ）技術を使用する。例えば、１００ＭＨｚの帯域幅を支援するために、５つの２０ＭＨｚの搬送波成分が結合され得る。搬送波結合方式に基づいて、基地局は２つ以上の搬送波成分でユーザ端末にダウンリンクデータを伝送する。それに応じて、ユーザ端末は２つ以上の搬送波成分から受信されたダウンリンクデータに対する受信状態フィードバック情報を支援する必要がある。
【０００６】
ＬＴＥ−Ａシステムに対する検討結果によれば、ＡＣＫ／ＮＡＣＫ伝送の最大４ビットがチャネル選択手法に応じて支援されることができる。ＬＴＥ−ＡＦＤＤ（Ｆｒｅｑｕｅｎｃｙ  Ｄｉｖｉｓｉｏｎ  Ｄｕｐｌｅｘ）で、チャネル選択方式は実質的に２つの搬送波成分を支援し、最大２ビットのＡＣＫ／ＮＡＣＫ情報が各搬送波成分でフィードバックされ得る。交差搬送波成分（Ｃｒｏｓｓ−ＣＣ）スケジューリングを用いる第１搬送波成分（Ｐｒｉｍａｒｙ  ＣＣ：ＰＣＣ）と第２搬送波成分（Ｓｅｃｏｎｄａｒｙ  ＣＣ：ＳＣＣ）に対して４ビットテーブルを例に挙げて述べると、２つのＡＣＫ／ＮＡＣＫチャネルはダウンリンクデータ伝送のためのＰＤＣＣＨスケジューリングによって得られる。例えば、ＰＤＣＣＨの最小ＣＣＥ（Ｃｏｎｔｒｏｌ  Ｃｈａｎｎｅｌ  Ｅｌｅｍｅｎｔ）インデックスをｎと仮定し、前記２つのＡＣＫ／ＮＡＣＫチャネルはＣＣＥインデックスｎとｎ+１からＬＴＥ方式を用いたマッピングによって得られる。ここで、前記ＣＣＥは制御情報伝送のための資源単位であって、所定数の資源成分グループ（ｒｅｓｏｕｒｃｅ  ｅｌｅｍｅｎｔ  ｇｒｏｕｐｓ）に対応し、前記ＣＣＥインデックスは前記資源成分グループそれぞれを示す。交差搬送波成分（Ｃｒｏｓｓ−ＣＣ）スケジューリングを用いない第２搬送波成分のために２つのＡＣＫ／ＮＡＣＫチャネルが上位階層によって構成され、ＡＲＩ（ＡＣＫ／ＮＡＣＫ  Ｒｅｓｏｕｒｃｅ  Ｉｎｄｉｃａｔｏｒ）を介して割り当ての柔軟性が増加され得る。現在の議論によれば、ＦＤＤシステムで図３に示したような４ビットマッピングテーブルが用いられる。ここで、ＡＣＫ／ＮＡＣＫチャネル１及び２は連続的なＰＣＣの２つのＡＣＫ／ＮＡＣＫビットに対応し、ＡＣＫ／ＮＡＣＫチャネル３及び４は連続的な２つのＳＣＣのＡＣＫ／ＮＡＣＫビットに対応する。図３のテーブルで、同じ搬送波成分で２つのＡＣＫ／ＮＡＣＫチャネルが同時に存在するか、または同時に不在する特徴は性能を最適化させるために活用される。図１２は、他の４ビットマッピングテーブルを示す。ここで、いくつかのＡＣＫ／ＮＡＣＫ情報がすべてＡＣＫである場合、前記ＡＣＫ／ＮＡＣＫチャネルは伝送のために選択される。例外的に、Ｍ個のＡＣＫ／ＮＡＣＫチャネルのフィードバック能力に対する利点を活用するために、ＡＣＫ／ＮＡＣＫ
情報の最初のピースがＮＡＣＫであってＡＣＫ／ＮＡＣＫ情報の残りのピースがすべてＮＡＣＫ、又はＤＲＸ（ｄｉｓｃｏｎｔｉｎｕｏｕｓ  ｒｅｃｅｉｖｉｎｇ）である場合、最初のＡＣＫ／ＮＡＣＫチャネルのＱＰＳＫ配置点（ｃｏｎｓｔｅｌｌａｔｉｏｎ  ｐｏｉｎｔ）が指示のために使用されることができる。ここで、Ｍは２、３及び４のいずれか１つの値を有する。図１２に示した方式は４つのＡＣＫ／ＮＡＣＫビットに対応するＡＣＫ／ＮＡＣＫチャネルが互いにすべて独立である状況でシナリオに適用され得る。
【０００７】
テーブルで、ＮはＮＡＣＫを示し、ＡはＡＣＫを示し、ＤはＤＲＸを示し、シンボル「／」は「ｏｒ」を示す。
【０００８】
ＬＴＥ−Ａ  ＴＤＤシステムで、搬送波結合方式を支援する場合、ユーザ端末は単一搬送波伝送を支援する場合より受信状態フィードバック情報に対するかなり多くのビットをフィードバックしなければならない。例えば、無線フレームがデータ伝送のための４つのダウンリンクサブフレームと５つの搬送波成分を有する場合、ＭＩＭＯデータ伝送がユーザ端末に対して構成されると仮定すると、４０ビットの受信状態フィードバック情報がフィードバックされなければならない。明らかに、単一搬送波に対して受信状態フィードバック情報をフィードバックする方法が用いられる場合、多くのアップリンクオーバーヘッドが発生し、アップリンクカバレッジが減少され得る。さらに、ＬＴＥシステムで現在支援されるアップリンク制御チャネルは多量の受信状態フィードバック情報を支援することができない。もしフィードバックに対して４０ビットを支援しなければならない場合、フィードバックチャネルの構造は再定義されなければならず、これは標準の複雑性を相当増加させるであろう。
【０００９】
したがって、アップリンクカバレッジ領域を増加させ、受信状態フィードバック情報によって占有されたアップリンクオーバーヘッドを減少させることができるデータ受信状態に対するフィードバック方法及び装置を提供する必要がある。
【発明の概要】
【発明が解決しようとする課題】
【００１０】
本発明は、上述のような問題点を解決するためになされたものであって、本発明の目的は、データ受信状態をフィードバックする方法を提供し、受信状態フィードバック情報によって占有されたアップリンクオーバーヘッドを減少させアップリンクカバレッジを減少させることにある。
【課題を解決するための手段】
【００１１】
本発明の一構成によれば、ＬＴＥ−Ａシステムでデータ受信状態をフィードバックする方法は、Ａ：ユーザ端末が各搬送波成分に対するデータを伝送するためのダウンリンクサブフレームを順に整列する過程と、Ｂ：前記ステップＡで整列された結果に応じて各搬送波成分に対応する最初のＸ個のダウンリンクサブフレームに対する受信状態フィードバック情報を生成する過程と、前記ＸはＭより小さいか等しく、前記Ｍは各搬送波成分でダウンリンクサブフレームの数を示し、Ｃ：各搬送波成分に対して生成された受信状態フィードバック情報を基地局に伝送する過程と、を含むことを特徴とする。上述のように、本発明によるユーザ端末は各搬送波成分に対するデータを伝送するためのダウンリンクサブフレームを順に整列し、順に整列した結果に応じて最初のＸ個のダウンリンクサブフレームに対する受信状態フィードバック情報を生成し、前記各搬送波成分に対する受信状態フィードバック情報を基地局に伝送する。前記ユーザ端末がＸ個のダウンリンクサブフレームに対する受信状態のみを報告するため、前記基地局は最初のＸ個のダウンリンクサブフレームでＨＡＲＱ処理を行うことができる。最後のダウンリンクサブフレームに対して、前記基地局は端末がＰＤＣＣＨを受信しなかったと仮定した上でプロセスを行う。したがって、前記基地局は端末の受信状態に対して端末と一致させることができ、送信及び受信フィードバックの間に基地局との不一致によってダウンリンクサブフレームに対する受信状態を誤って解釈しないように保証して效率的にＨＡＲＱ伝送を行うことができる。さらに、本発明は搬送波結合方式で最初のＸ個のダウンリンクサブフレームに対する受信状態フィードバック情報をフィードバックする方式を用いて、受信状態フィードバック情報によって占有されたアップリンクオーバーヘッドを減少させ、アップリンクカバレッジ領域を増加させることができる。
【図面の簡単な説明】
【００１２】
【図１】本発明の実施形態によるデータ受信状態をフィードバックするための方式を示す図である。
【図２】本発明の実施形態によってダウンリンクサブフレーム伝送状態の例を示す図である。
【図３】本発明の実施形態によるＬＴＥ−ＡＦＤＤシステムで適用される４ビットマッピングテーブルを示す図である。
【図４】本発明の実施形態によるＭが２の場合にバンドルされた（ｂｕｎｄｌｅｄ）フィードバック状態を示す図である。
【図５】本発明の実施形態によるＭが３の場合にバンドルされたフィードバック状態を示す図である。
【図６】本発明の実施形態によるＭが４の場合にバンドルされたフィードバック状態を示す図である。
【図７】本発明の実施形態によるＦＤＤテーブルでフィードバック状態と２ビットＡＣＫ／ＮＡＣＫとの間のマッピング関係を示す図である。
【図８】本発明の第１実施形態によってフィードバックのために５つのタイプのフィードバック情報を４つのタイプに処理する様子を示す図である。
【図９】本発明の第２実施形態によってフィードバックのために５つのタイプのフィードバック情報を４つのタイプに処理する様子を示す図である。
【図１０】本発明の第３実施形態によってフィードバックのために５つのタイプのフィードバック情報を４つのタイプに処理する様子を示す図である。
【図１１】本発明の第４実施形態によってフィードバックのために５つのタイプのフィードバック情報を４つのタイプに処理する様子を示す図である。
【図１２】本発明の実施形態によって他の４ビットマッピングテーブルを示す図である。
【図１３】本発明の実施形態によってフィードバック状態と２ビットＡＣＫ／ＮＡＣＫとの間のマッピング関係を示す図である。及び
【図１４】本発明の実施形態によるユーザ端末のブロック構成を示す図である。
【発明を実施するための形態】
【００１３】
以下、本発明の好ましい実施形態を添付図面を参照して説明する。そして、本発明を説明するに当たって、関連する公知機能または公知構成に対する具体的な説明が本発明の要旨を不要に不明確にする恐れがあると判断される場合、その詳細な説明を省略する。そして、後述される用語は、本発明における機能を考慮して定義された用語であって、これはユーザ、運用者の意図または慣例などに応じて異なることがある。したがって、その定義は本明細書全般にわたる内容に基づいて行われるべきである。
【００１４】
図１は、本発明の実施形態によるデータ受信状態をフィードバックするための方式を示している。図１を参照すると、ユーザ端末はステップ１０１で各搬送波成分に対してユーザ端末にデータを伝送するためのダウンリンクサブフレームを順に整列する。このステップで、各搬送波成分に対応するデータを伝送するために順に整列されたダウンリンクサブフレームの優先順位は、ＳＰＳ（Ｓｅｍｉ  Ｐｅｒｓｉｓｔｅｎｔ  Ｓｃｈｅｄｕｌｉｎｇ）サービスデータを伝送するダウンリンクサブフレームと動的データを伝送するダウンリンクサブフレームとに対して高い順位から低い順位に設定される。
【００１５】
ＳＰＳサービスデータを伝送する複数のダウンリンクサブフレームが存在する場合、前記複数のダウンリンクサブフレームはＳＰＳサービスデータを伝送するダウンリンクサブフレームによって占有されたサブフレームのインデックスによって順に整列されるであろう。もし、動的データを伝送する複数のダウンリンクサブフレームが存在する場合、前記複数のダウンリンクサブフレームはＤＡＩ（Ｄｏｗｎｌｉｎｋ  Ａｓｓｉｇｎｍｅｎｔ  Ｉｎｄｅｘ）の昇順で整列されるであろう。
【００１６】
一方、ＳＰＳサービスデータを伝送するダウンリンクサブフレームがない場合、動的データを伝送するダウンリンクサブフレームはＤＡＩの昇順で直ぐに整列されるであろう。
【００１７】
搬送波結合方式で、ユーザ端末に対してではないデータを伝送する一部の搬送波成分があるか、ユーザ端末が一部の搬送波成分からデータを受信できないことを示すことに注目しなければならない。このような搬送波成分に対して、非連続的な受信を示す受信状態フィードバック情報ＤＲＸが直接的に生成される。すなわち、本発明の実施形態によってステップ１０２及びステップ１０３ではユーザ端末がデータを受信できない搬送波成分に対して関与しない。
【００１８】
ステップ１０２で、最初のＸ個のダウンリンクサブフレームに対する受信状態フィードバック情報はデータを伝送するためのダウンリンクサブフレームの順に沿って各搬送波成分に対して生成される。ここで、前記Ｘはダウンリンクサブフレームの数を示すＭより小さいか等しい値を有する。
【００１９】
このステップで受信状態フィードバック情報は前記ステップ１０１で整列した順に沿って各搬送波成分に対して生成される。本発明の実施形態によって、前記最初のＸ個のダウンリンクサブフレームに対する受信状態フィードバック情報のみが各搬送波成分に対応してフィードバックされる。前記フィードバックされる受信状態フィードバック情報は最初のＸ個のダウンリンクサブフレームに対する全てのＮＡＣＫを含むか最初のＸ個のダウンリンクサブフレームに対する全てのＡＣＫを含むことができる。他の方法として、最初のＸ個のダウンリンクサブフレームのうち一部に対するＡＣＫと他の一部に対するＮＡＣＫ、最初のＸ個のダウンリンクサブフレームのうち一部に対するＤＲＸを含むことができる。最後のＭ−Ｘ個のダウンリンクサブフレームに対してはフィードバックしない。この時、Ｘは固定値ではない場合があり、ステップ１０１によって順に整列されたダウンリンクサブフレームに対する他の受信状態フィードバック情報に基づいて他の値を有し得る。
【００２０】
前記搬送波成分で受信状態フィードバック情報を受信する時、基地局は対応する受信状態フィードバック情報に応じて最初のＸダウンリンクサブフレームのダウンリンクデータに対するＨＡＲＱ処理を行う。Ｍ−Ｘ個のダウンリンクサブフレームのダウンリンクデータに対して、ユーザ端末がデータをスケジュールするＰＤＣＣＨを受信していないと仮定した上で前記基地局は処理する。
【００２１】
ユーザ端末はそれぞれのダウンリンクサブフレームで２つのコードワードのために受信状態フィードバック情報で空間バンドリング（ｓｐａｔｉａｌ  ｂｕｎｄｌｉｎｇ）を最初に行うことができる。すなわち、ＭＩＭＯ伝送方式で、バンドルされた受信状態フィードバック情報のピースを獲得するために２つのコードワードに対する受信状態フィードバック情報で「ＡＮＤ」演算が行われる。ＭＩＭＯ伝送が適用されない時、受信状態フィードバック情報の１つのピースが直接得られる。その後、最初のＸ個のダウンリンクサブフレームに対する前記受信状態フィードバック情報がフィードバックされ、最後のＭ−Ｘダウンリンクサブフレームに対してはフィードバックしない。
【００２２】
より正確な受信状態をフィードバックしなければならない場合、空間バンドリングは行われない場合がある。すなわち、ＭＩＭＯデータ伝送の場合、２つのコードワードに対する受信状態フィードバック情報は最初のＸ個のダウンリンクサブフレームの各サブフレームに対してフィードバックされる。この場合、受信状態フィードバック情報を生成する２つの方式が使用されることができる。
【００２３】
第１の方法：最初のＸ１個のダウンリンクサブフレームに対する受信状態フィードバック情報はインデックスが０のコードワードに対してフィードバックされ、最初のＸ２個のダウンリンクサブフレームに対する受信状態フィードバック情報はインデックスが１のコードワードに対してフィードバックされる。この時、Ｘ１≦Ｍ、Ｘ２≦Ｍで、Ｘ１とＸ２は互いに同じである場合もあり、同じではない場合もある。すなわち、最初のいくつかのダウンリンクサブフレームに対する受信状態フィードバック情報は各コードワードに対してフィードバックされる。
【００２４】
インデックスが０のコードワードに対して生成された受信状態フィードバック情報は、最初のＸ１個のダウンリンクサブフレームに対する全てのＡＣＫ又は最初のＸ１個のダウンリンクサブフレームに対する全てのＮＡＣＫである場合がある。他の方法として、ＡＣＫとＮＡＣＫを両方含むことができる。すなわち、最初のＸ１個のダウンリンクサブフレームのうち一部に対するＡＣＫと他の一部に対するＮＡＣＫ、最初のＸ１個のダウンリンクサブフレームのうち一部に対するＤＲＸ、又は他の物（ｏｔｈｅｒｓ）を含むことができる。同様に、インデックスが１のコードワードに対して生成された受信状態フィードバック情報は、最初のＸ２個のダウンリンクサブフレームに対する全てのＡＣＫと最初のＸ２個のダウンリンクサブフレームに対する全てのＮＡＣＫを含むことができる。他の方法として、ＡＣＫとＮＡＣＫを両方含むことができる。すなわち、最初のＸ２個のダウンリンクサブフレームの一部に対するＡＣＫと他の物に対するＮＡＣＫ、最初のＸ２個のダウンリンクサブフレームの一部に対するＤＲＸ、又は他の物（ｏｔｈｅｒｓ）を含むことができる
【００２５】
２つのコードワードのそれぞれに対してフィードバックされた搬送波成分で状態フィードバック情報を受信する時、基地局は対応する受信状態フィードバック情報に応じて最初のＸ１個のダウンリンクサブフレームでインデックス０を有するコードワードに対してＨＡＲＱプロセスを行う。他のダウンリンクサブフレームでインデックス０を有するコードワードに対して、ユーザ端末がダウンリンクデータをスケジュールしたＰＤＣＣＨを受信していないと仮定した上で前記基地局は処理を行う。前記基地局は対応する受信状態フィードバック情報に応じて最初のＸ２個のダウンリンクサブフレームでインデックスが１のコードワードに対してＨＡＲＱプロセスを行う。他のダウンリンクサブフレームでインデックスが１のコードワードに対して、ユーザ端末がダウンリンクデータをスケジュールしたＰＤＣＣＨを受信していないと仮定した上で前記基地局は処理を行う。
【００２６】
第１の方法を例に挙げて述べると、ＭＩＭＯデータ伝送は搬送波成分に適用され、空間バンドリングが行われないが、それぞれのコードワードに対して受信状態フィードバック情報がフィードバックされると仮定する。もし、Ｍが３の場合、各コードワードに応じて５つの受信状態フィードバック情報が生成され得る。例えば、前記受信上フィードバック情報は、１）最初の３つのダウンリンクサブフレームに対する受信状態フィードバック情報に対する全てのＡＣＫ；２）最初の２つのダウンリンクサブフレームに対する受信状態フィードバック情報に対する全てのＡＣＫ；３）最初のダウンリンクサブフレームに対する受信状態フィードバック情報に対する全てのＡＣＫ；４）最初の２つのダウンリンクサブフレームに対する受信状態フィードバック情報に対するＮＡＣＫとＡＣＫ；５）最初のダウンリンクサブフレームに対する受信状態フィードバック情報に対するＮＡＣＫ又はＤＲＸである場合がある。したがって、搬送波成分の２コードワードに対して総２５個の情報タイプがフィードバックされる。
【００２７】
第２の方法：２つのコードワードに対する受信状態フィードバック情報は最初のＸ個のダウンリンクサブフレームの各サブフレームに対してそれぞれフィードバックされる。
【００２８】
この場合、生成された受信状態フィードバック情報は最初のＸ個のダウンリンクサブフレームの２つのコードワードに対する全てのＡＣＫ又は最初のＸ個のダウンリンクサブフレームの２つのコードワードに対する全てのＮＡＣＫである場合がある。他の方案として、前記生成された受信状態フィードバック情報はＡＣＫとＮＡＣＫを両方含むことができる。すなわち、最初のＸ個のダウンリンクサブフレームのうち一部の２コードワードに対するＡＣＫと他の２つのコードワードに対するＮＡＣＫ、最初のＸ個のダウンリンクサブフレームのうち一部の２つのコードワードに対するＤＲＸ、又は他の物を含むことができる
【００２９】
最初のＸ個のダウンリンクサブフレームに対する搬送波成分で受信状態フィードバック情報を受信する時、基地局は対応する受信状態フィードバック情報に応じて最初のＸ個のダウンリンクサブフレームで２つのコードワードに対するＨＡＲＱプロセスを行う。他のダウンリンクサブフレームに対して、ユーザ端末がダウンリンクデータをスケジュールしたＰＤＣＣＨを受信していないと仮定した上で前記基地局は処理を行う。
【００３０】
前記第２の方法を例に挙げて述べると、ＭＩＭＯデータ伝送は搬送波成分に適用され、空間バンドリングが行われないが、最初のＸ個のダウンリンクサブフレームで２つのコードワードに対して受信状態がそれぞれ受信されると仮定する。もし、Ｍが４であれば、１３つの受信状態フィードバック情報タイプがあり得る。すなわち、１）最初のＸ個のダウンリンクサブフレームで２つのコードワードに対するフィードバック情報に対するＡＣＫと全てのＡＣＫ；２）最初のＸ個のダウンリンクサブフレームで２つのコードワードに対するフィードバック情報に対するＮＡＣＫと全てのＡＣＫ；３）最初のＸ個のダウンリンクサブフレームで２つのコードワードに対するフィードバック情報に対するＡＣＫと全てのＮＡＣＫ；４）最初のＸ個のダウンリンクサブフレームで２つのコードワードに対するフィードバック情報に対するＤＲＸとＮＡＣＫ、などのタイプがあり得る。ここで、前記Ｘは１、２、３及び４のいずれか１つの値を有し得る。
【００３１】
さらに、搬送波成分はＭＩＭＯデータ伝送モードで構成され、１つのコードワードのみがサブフレームで伝送されることができる。すなわち、前記サブフレームでデータを伝送するために他のコードワードが使用されない。この場合に対する処理方法のうち１つは、ＡＣＫ、ＮＡＣＫ及びＤＲＸのようなデータを伝送しないコードワードに対するフィードバック情報のために固定値を定義することである。他の処理方式は、ステップ１０１で各コードワードに対して前記ダウンリンクサブフレームを順に整列し、実質的にデータを伝送するコードワードに対してのみダウンリンクサブフレームを順に整列することである。この２つの処理方式は本発明による方式と互換性があって、影響を及ぼさない。
【００３２】
ステップ１０３で、前記ユーザ端末は各搬送波成分に対して生成された受信状態フィードバック情報を基地局に伝送する。
【００３３】
このステップで、前記ユーザ端末は伝送のために搬送波成分に対する受信状態フィードバック情報をコーディングする方式を適用することができ、チャネル選択ベースの他の方式を適用することもできる。
【００３４】
ユーザ端末はセルで全ての搬送波成分に対して受信状態フィードバック情報をフィードバックするか、基地局によってユーザ端末に対して構成された搬送波成分に対して受信状態フィードバック情報をフィードバックするか、基地局によってユーザ端末に対して構成されたアクティブ搬送波成分に対して受信状態フィードバック情報をフィードバックできる。
【００３５】
ステップ１０２に関して、Ｍが互いに異なる値を有する場合、搬送波成分に対してフィードバックされる受信状態フィードバック情報を以下で述べる。ここでは搬送波成分に対して５つのタイプ情報がフィードバックされる必要があると仮定する。
【００３６】
先ず、Ｍ＝２と仮定する。空間バンドリングが各ダウンリンクサブフレームに対する受信状態フィードバック情報に適用される場合、サービスタイプとＤＡＩに基づいた順でデータを伝送するためのダウンリンクサブフレームの順序に基づいて、受信状態フィードバック情報は次のような情報を含むことができる。すなわち、受信状態フィードバック情報は１）最初の２つのダウンリンクサブフレームに対する受信状態フィードバック情報に対する２つのＡＣＫ、２）最初のダウンリンクサブフレームに対する受信状態フィードバック情報に対するＡＣＫ、３）最初の２つのダウンリンクサブフレームに対する受信状態フィードバック情報のそれぞれに対するＮＡＣＫとＡＣＫ、４）最初のダウンリンクサブフレームに対する受信状態フィードバック情報に対するＮＡＣＫと、もし存在する場合、２番目のダウンリンクサブフレームに対する受信状態フィードバック情報に対するｎｏｔ  ＡＣＫ、及び５）最初のダウンリンクサブフレームに対する受信状態フィードバック情報に対するＤＲＸを含むことができる。
【００３７】
次に、Ｍ＝３と仮定する。空間バンドリングが各ダウンリンクサブフレームに対する受信状態フィードバック情報に適用される場合、サービスタイプとＤＡＩに基づいた順でデータを伝送するためのダウンリンクサブフレームの順序に基づいて、受信状態フィードバック情報は次のような情報を含む。すなわち、前記受信状態フィードバック情報は１）最初の３つのダウンリンクサブフレームに対する受信状態フィードバック情報に対する全てのＡＣＫ、２）最初の２つのダウンリンクサブフレームに対する受信状態フィードバック情報に対する全てのＡＣＫ、３）最初のダウンリンクサブフレームに対する受信状態フィードバック情報に対するＡＣＫ、４）最初の２つのダウンリンクサブフレームに対する受信状態フィードバック情報のそれぞれに対するＮＡＣＫとＡＣＫ、５）最初のダウンリンクサブフレームに対する受信状態フィードバック情報に対するＮＡＣＫと、もし存在する場合、２番目のダウンリンクサブフレームに対する受信状態フィードバック情報に対するｎｏｔ  ＡＣＫ、又は最初のダウンリンクサブフレームに対する受信状態フィードバック情報に対するＤＲＸを含むことができる。
【００３８】
次に、Ｍ＝４と仮定する。空間バンドリングが各ダウンリンクサブフレームに対する受信状態フィードバック情報に適用される場合、サービスタイプとＤＡＩに基づいた順でデータを伝送するためのダウンリンクサブフレームの順序に基づいて、受信状態フィードバック情報は次のような情報を含む。前記受信状態フィードバック情報は１）最初の４つのダウンリンクサブフレームに対する受信状態フィードバック情報に対する全てのＡＣＫ、２）最初の３つのダウンリンクサブフレームに対する受信状態フィードバック情報に対する全てのＡＣＫ、３）最初の２つのダウンリンクサブフレームに対する受信状態フィードバック情報に対する２つのＡＣＫ、４）最初のダウンリンクサブフレームに対する受信状態フィードバック情報に対するＡＣＫ、５）最初のダウンリンクサブフレームに対する受信状態フィードバック情報に対するＤＲＸ又はＮＡＣＫを含むことができる。
【００３９】
本発明は、受信状態フィードバック情報の上述した例に限定されず、各搬送波成分に対して生成された受信状態フィードバック情報のタイプの数は５つに限定されない。
【００４０】
上述したステップ１０２で、フィードバック状態の４つのタイプは搬送波成分に対してフィードバックされるべきで、２つのビットがそれを示すために使用されることができる。フィードバック状態を生成する方式はＭの値に応じてそれぞれ説明する。
【００４１】
図４は、本発明の実施形態によるＭが２の場合にバンドルされた（ｂｕｎｄｌｅｄ）フィードバック状態を示している。
【００４２】
図４を参照すると、Ｍが２であると仮定する。空間バンドリングが各ダウンリンクサブフレームに対する受信状態フィードバック情報に適用される場合、サービスタイプとＤＡＩに基づいた順でデータを伝送するためのダウンリンクサブフレームの順序に基づいて、フィードバック状態は図４に示したように４つに定義される。すなわち、前記フィードバック状態は、１）最初の２つのダウンリンクサブフレームに対する受信状態フィードバック情報に対する２つのＡＣＫ、２）最初のダウンリンクサブフレームに対する受信状態フィードバック情報に対するＡＣＫと２番目のダウンリンクサブフレームに対する受信状態フィードバック情報に対するＮＡＣＫ／ＤＲＸ、３）最初の２つのダウンリンクサブフレームに対する受信状態フィードバック情報のそれぞれに対するＡＣＫとＮＡＣＫ、４)フィードバック状態２)を除いた、最初のダウンリンクサブフレームに対する受信状態フィードバック情報に対するＮＡＣＫ／ＤＲＸの４つに定義できる。
【００４３】
図５は、本発明の実施形態によるＭが３の場合にバンドルされた（ｂｕｎｄｌｅｄ）フィードバック状態を示している。
【００４４】
図５を参照すると、Ｍ＝３と仮定する。空間バンドリングが各ダウンリンクサブフレームに対する受信状態フィードバック情報に適用される場合、サービスタイプとＤＡＩに基づいた順でデータを伝送するためのダウンリンクサブフレームの順序に基づいてフィードバック状態は図５に示したように、４つに定義される。すなわち前記フィードバック状態は、１）最初の３つのダウンリンクサブフレームに対する受信状態フィードバック情報に対する全てのＡＣＫ、２）最初の２つのダウンリンクサブフレームに対する受信状態フィードバック情報に対する２つのＡＣＫと３番目のダウンリンクサブフレームに対する受信状態フィードバック情報に対するＮＡＣＫ／ＤＲＸ、３）最初のダウンリンクサブフレームに対する受信状態フィードバック情報に対するＡＣＫと２番目のダウンリンクサブフレームに対する受信状態フィードバック情報に対するＮＡＣＫ／ＤＲＸ、４）最初のダウンリンクサブフレームに対する受信状態フィードバック情報に対するＮＡＣＫ／ＤＲＸのような４つに定義できる。
【００４５】
図６は、本発明の実施形態によるＭが４の場合にバンドルされた（ｂｕｎｄｌｅｄ）フィードバック状態を示している。
【００４６】
図６を参照すると、Ｍ＝４と仮定する。空間バンドリングが各ダウンリンクサブフレームに対する受信状態フィードバック情報に適用される場合、サービスタイプとＤＡＩに基づいた順でデータを伝送するためのダウンリンクサブフレームの順序に基づいて、５つのタイプのフィードバック情報が得られる。すなわち、前記フィードバック情報に対するタイプは、ａ）最初の４つのダウンリンクサブフレームに対する受信状態フィードバック情報に対する全てのＡＣＫ、ｂ）最初の３つのダウンリンクサブフレームに対する受信状態フィードバック情報に対する全てのＡＣＫと４番目のダウンリンクサブフレームに対する受信状態フィードバック情報に対するＮＡＣＫ／ＤＲＸ、ｃ）最初の２つのダウンリンクサブフレームに対する受信状態フィードバック情報に対する２つのＡＣＫと３番目のダウンリンクサブフレームに対する受信状態フィードバック情報に対するＮＡＣＫ／ＤＲＸ、ｄ）最初のダウンリンクサブフレームに対する受信状態フィードバック情報に対するＡＣＫと２番目のダウンリンクサブフレームに対する受信状態フィードバック情報に対するＮＡＣＫ／ＤＲＸ、ｅ）最初のダウンリンクサブフレームに対する受信状態フィードバック情報に対するＮＡＣＫ／ＤＲＸであることができる。すると、フィードバックのための４つのタイプの状態はフィードバック情報の５つのタイプの多対一マッピングによって得られる。例えば、図６を参照すると、前記基地局はフィードバック情報タイプａ）とｄ）を同じ状態タイプ、すなわち、フィードバック状態タイプ３）にマッピングし、フィードバック情報タイプｂ）、ｃ）及びｅ）を互いに異なる３つの状態のタイプ、すなわち、フィードバック状態タイプ１）、２）及び４）とそれぞれマッピングすることによって、２ビットで表示されることができる。フィードバック情報タイプａ）とｄ）がいずれも可能な場合、多対一方式で、前記基地局はフィードバック情報をａ）又はｄ）に決定することができない。基地局が実質的に４つのサブフレームのデータを伝送する場合、連続的な４つのＡＣＫを処理し、前記基地局が実質的に４つのサブフレームより小さいデータを伝送した場合、１つの連続的なＡＣＫを処理できる。本発明は前記基地局の特定動作に対して限定しない。
【００４７】
図８は、本発明の第１実施形態によってフィードバックのために５つのタイプのフィードバック情報を４つのタイプに処理する様子を示している。
【００４８】
図８を参照すると、４つのタイプのフィードバック状態を５つのタイプのフィードバック情報を多対一マッピングして獲得する。すなわち、２つのタイプのフィードバック情報を同じ状態タイプに結合する方式は、前記基地局が連続的なＡＣＫの数より少ない数のフィードバック情報タイプの観点から結合された状態タイプを処理することによって、不一致を回避できる。例えば、図８に示したように、フィードバック情報タイプａ）とｂ）がフィードバック状態タイプ１）に結合され、フィードバック情報の他の３つのタイプｃ）、ｄ）及びｅ）がそれぞれフィードバック状態タイプ２）、３）及び４）にマッピングされる。前記基地局は固定された方式でフィードバック情報タイプｂ）、すなわち、最初の３つのダウンリンクサブフレームに対する受信状態フィードバック情報に対するＡＣＫによるフィードバック状態タイプ１）のＨＡＲＱ伝送を処理する。この方式で、ユーザ端末が４つのサブフレームのデータを完壁に正確に受信する場合も、前記基地局は４番目のサブフレームのデータを再送する。
【００４９】
図９は、本発明の第２実施形態によってフィードバックのために５つのタイプのフィードバック情報を４つのタイプで処理する様子を示している。
【００５０】
図９を参照すると、他の例でフィードバック情報タイプｄ）とｅ）がフィードバック状態タイプ４）に結合され、他のフィードバック情報の３つのタイプａ）、ｂ）及びｃ）がフィードバック状態タイプ１）、２）及び３）とそれぞれマッピングされる。前記基地局は固定された方式で全てのデータを再送するフィードバック情報タイプｅ）に応じてフィードバック状態タイプ４）のＨＡＲＱ伝送を処理する。このような方式ではフィードバック情報タイプの間に基地局との不一致はないが、不必要な再送は増加し得る。
【００５１】
上述した説明で、フィードバック状態タイプ１）はフィードバック状態の１番目のタイプをいい、フィードバック状態タイプ２）はフィードバック状態の２番目のタイプをいい、フィードバック状態タイプ３）はフィードバック状態の３番目のタイプをいい、フィードバック状態タイプ４）はフィードバック状態の４番目のタイプをいう。
【００５２】
フィードバック情報の５つのタイプをフィードバック状態の４つのタイプに処理する方式で、１つのフィードバック情報タイプは互いに異なる２タイプのフィードバック情報と結合される２つのタイプのサブ状態に分割されることによって、フィードバック状態の４つのタイプが得られる。
【００５３】
図１０は、本発明の第３実施形態によってフィードバックのために５つのタイプのフィードバック情報を４つのタイプで処理する様子を示している。
【００５４】
図１０に示したように、フィードバック情報タイプｂ）はサブ情報タイプｂ１）とサブ情報タイプｂ２）に分割される。ここで、前記サブ情報タイプｂ１は最初の３つのダウンリンクサブフレームに対する受信状態フィードバック情報に対する全てのＡＣＫと４番目のダウンリンクサブフレームに対する受信状態フィードバック情報に対するＤＲＸを示し、前記サブ情報タイプｂ２）は最初の３つのダウンリンクサブフレームに対する受信状態フィードバック情報に対する全てのＡＣＫと４番目のダウンリンクサブフレームに対する受信状態フィードバック情報に対するＮＡＣを示す。前記サブ情報タイプｂ１）とフィードバック情報タイプａ）は同じフィードバック状態タイプ１）に結合され、前記サブ情報タイプｂ２）とフィードバック情報タイプｃ）は同じフィードバック状態タイプ２）に結合され、フィードバック情報タイプｄ）とｅ）はそれぞれフィードバック状態タイプ３）及び４）とマッピングされる。この方式は基地局によって以下の説明のように行われる。基地局が実質的に４つのサブフレームのデータをスケジュールする場合、フィードバック状態タイプ１）は正確に受信された４つのサブフレームをすべて示すか、正確に受信された最初の３つのサブフレームとロスした４番目のサブフレームのＰＤＣＣＨを示す。ＬＴＥシステムの設計のように、搬送波結合方式を支援するユーザ端末が一般に良いチャネル環境にあるため、ＰＤＣＣＨのロス確率は０．０１と非常に低く、前記ＰＤＣＣＨを正確に受信する確率は非常に高い。実施形態によれば、前記基地局は４番目のサブフレームのＰＤＣＣＨの受信確率を故意に増加させることによって、サブ情報タイプｂ１）の確率を減少させることができる。したがって、前記基地局はフィードバック情報タイプａ）のようにフィードバック状態タイプ１）を処理する。基地局が実質的に４つのサブフレームデータをスケジュールした場合、フィードバック情報タイプａ）は不可能である。したがって、前記基地局はサブ情報タイプｂ１）のようにフィードバック状態タイプ１）を処理する。フィードバック状態タイプ２）の場合、フィードバック情報タイプｃ）とサブ情報タイプｂ２）の確率の間に大差はないため、前記基地局は固定された方式でフィードバック情報タイプｃ）に応じてＨＡＲＱ伝送を処理する。実際、サブ情報タイプｂ２）の場合、前
記基地局は３番目のサブフレームのデータを追加的に再送する。このようなマッピング方式の長所は、前記基地局が３つのサブフレームより小さいか等しいデータをスケジュールする場合に得ることができるが、実質的にフィードバック情報のマッピングを繰り返すことなく、最適化された性能を保証できる。
【００５５】
図１１は、本発明の第４実施形態によってフィードバックのために５つのタイプのフィードバック情報を４つのタイプで処理する様子を示している。
【００５６】
図１１を参照すると、フィードバック情報タイプｄ）はサブ情報タイプｄ１）とサブ情報タイプｄ２）に分割されることができる。ここで、前記サブ情報タイプｄ１）は最初のダウンリンクサブフレームに対する受信状態フィードバック情報に対するＡＣＫと最後の３つのダウンリンクサブフレームに対する受信状態フィードバック情報に対するＤＲＸを示し、前記サブ情報タイプｄ２）は最初のダウンリンクサブフレームに対する受信状態フィードバック情報に対するＡＣＫと最後の３つのダウンリンクサブフレームに対する受信状態フィードバック情報に対する全てのＤＲＸではないことを意味する。サブ情報タイプｄ１）とフィードバック情報タイプａ）は同じフィードバック状態タイプ１）に結合され、サブ情報タイプｄ２）とフィードバック情報タイプｅ）は同じフィードバック状態タイプ４）に結合され、フィードバック情報タイプｂ）とｃ）はフィードバック状態タイプ２）及び３）とそれぞれマッピングされる。この方式は基地局によって以下の説明のように行われる。基地局が実質的に４つのサブフレームのデータをスケジュールする場合、フィードバック状態タイプ１）は正確に受信された４つのサブフレームをすべて示すか、正確に受信された最初のサブフレームとロスした最後の３つのサブフレームのＰＤＣＣＨを示す。ＬＴＥシステムの設計で、ＰＤＣＣＨのロス確率は０．０１と非常に低く、３つのサブフレームのＰＤＣＣＨのロス確率も低い。したがって、前記基地局がフィードバック状態タイプ１）を受信する時、ユーザ端末から実質的にフィードバックされる情報がａ）である確率は非常に高い。したがって、前記基地局はフィードバック情報タイプａ）でフィードバック状態タイプ１）を処理する。基地局が実質的に４つのサブフレームのデータをスケジュールする時、フィードバック情報タイプがａ）であることは不可能である。したがって、前記基地局はサブ情報タイプｄ１）でフィードバック状態タイプ１）を処理する。フィードバック状態タイプ４）の場合、フィードバック情報タイプｅ）とサブ情報タイプｄ２）の確率の間に大差はないため、前記基地局は固定された方式でフィードバック情報タイプｅ）に応じてＨＡＲＱ伝送を処理する。搬送波結合方式のユーザがこのような方式で多くのデータを伝送しなければならないため、このシナリオで最初のサブフレームから
計算された４つ、３つ及び２つのサブフレームのフィードバックは正確に受信されるように最適化され、それは基地局が実質的に４つのサブフレームデータを伝送する時、ダウンリンク処理率を向上させる。しかし、基地局が３つのサブフレームより小さいか等しいデータのみをスケジュールする場合、前記方式ではフィードバック情報は最適化されない。
【００５７】
さらに、本発明はＤＡＩの最大の長所を活用できる。前記ＤＡＩはデータを伝送するためのダウンリンクサブフレームを順に整列するために使用するだけでなく、受信状態フィードバック情報の情報量を増加させる為にも使用する。
【００５８】
図２は、本発明の実施形態によってダウンリンクサブフレーム伝送状態の例を示している。
【００５９】
図２に示したように、Ｍが４の場合を例に挙げて述べると、ＤＡＩが１であるダウンリンクサブフレームをＭ個のダウンリンクサブフレームの３番目のダウンリンクサブフレームと仮定する。Ｍが４である例で、フィードバック情報は最初の２つのダウンリンクサブフレームに対する受信状態フィードバック情報に対するＡＣＫ、最初のダウンリンクサブフレームに対する受信状態フィードバック情報に対するＡＣＫ、又は最初のダウンリンクサブフレームに対する受信状態フィードバック情報のためのＮＡＣＫ／ＤＲＸである場合がある。すなわち、最初の４つのダウンリンクサブフレームに対する受信状態フィードバック情報がＡＣＫで、最初の３つのダウンリンクサブフレームに対する受信状態フィードバック情報がＡＣＫであることは不可能である。図２に示す例で、受信状態フィードバック情報の５つのタイプが存在する方式ではアップリンクフィードバックの能力に対する最大の長所が得られない。
【００６０】
本発明によれば、受信状態フィードバック情報の形式はＭ個のダウンリンクサブフレームでＤＡＩが１であるダウンリンクサブフレームの位置に応じて決定される。したがって、各搬送波成分に対する受信状態フィードバック情報の情報量の増加はオーバーヘッドの増加をもたらすことなく、ダウンリンク伝送性能を向上させることができる。
【００６１】
特に、図１のステップ１０２で、ユーザ端末はＭ個のダウンリンクサブフレームでＤＡＩが１であるダウンリンクサブフレームの位置に応じて、基地局が伝送するダウンリンクデータを示すダウンリンクサブフレームの最大数Ｎが得られる。この場合、ユーザ端末はＮ個のダウンリンクサブフレームのデータに対する受信状態フィードバック情報をアップリンクサブフレームで伝送する方式で受信状態フィードバック情報を生成する。それに応じて、前記基地局はアップリンクサブフレームでＮ個のサブフレームのデータに対する受信状態フィードバック情報を伝送するような方式でフィードバック情報を受信する。
【００６２】
前記Ｎの値は以下で詳しく説明する。ＳＰＳサービスデータがＭ個のダウンリンクサブフレームに含まれない場合、ＤＡＩが１であるダウンリンクサブフレームのサブフレームインデックスはｋで、この時、ｋは１からＭの値を有すると仮定する。ユーザ端末がＤＡＩが１であるダウンリンクサブフレームのＰＤＣＣＨを受信する時、前記ユーザ端末は基地局が伝送するデータであるダウンリンクサブフレーム数の最大値をＭ−Ｋ+１に決定できる。前記ユーザ端末はアップリンクフレームでＭ−Ｋ+１個のダウンリンクサブフレームのデータに対する受信状態フィードバック情報が伝送される方式でフィードバック情報を伝送する。それに応じて、前記基地局はアップリンクフレームでＭ−Ｋ+１個のダウンリンクサブフレームのデータに対する受信状態フィードバック情報が伝送される方式でフィードバック情報を受信する。
【００６３】
もし、ＳＰＳサービスデータがＭ個のダウンリンクサブフレームに含まれる場合、ＤＡＩが１であるダウンリンクサブフレームのサブフレームインデックスはｋで、この時、ｋは１からＭの値を有し、ｋより小さいインデックスを有しＳＰＳサービスデータを伝送するためのダウンリンクサブフレームの数はＭＳＰＳと仮定する。ＤＡＩが１であるダウンリンクサブフレームのＰＤＣＣＨをユーザ端末が受信する時、前記ユーザ端末は基地局が伝送するデータであるダウンリンクサブフレーム数の最大値をＭ−Ｋ+１+Ｍｓｐｓに決定する。前記ユーザ端末はアップリンクフレームでＭ−Ｋ+１Ｍｓｐｓ個のダウンリンクサブフレームのデータに対する受信状態フィードバック情報が伝送される方式でフィードバック情報を伝送する。それに応じて、前記基地局はアップリンクフレームでＭ−Ｋ+１+Ｍｓｐｓ個のダウンリンクサブフレームのデータに対する受信状態フィードバック情報が伝送される方式でフィードバック情報を受信する。
【００６４】
図２のように、Ｍが４の場合を仮定して述べる。前記基地局は実際スケジュールされて伝送されるデータを持つため、前記基地局はＤＡＩが１であるダウンリンクサブフレームが３番目であることを認識し、アップリンクフレームで２つのダウンリンクサブフレームに対する受信状態フィードバック情報が伝送される方式でユーザ端末から受信状態フィードバック情報を受信する。
【００６５】
一方、本発明による方式で、ＤＡＩが１であるダウンリンクサブフレームをユーザ端末が受信する時、ユーザ端末は基地局が伝送するデータであるダウンリンクサブフレーム数の最大値を２に決定する。そして、アップリンクフレームで２つのダウンリンクサブフレームのデータに対する受信状態フィードバック情報が伝送される方式で受信状態フィードバック情報をフィードバックする。ＤＡＩが１であるダウンリンクサブフレームのデータとＰＤＣＣＨをユーザ端末が受信できない場合、前記ＤＡＩが１であるダウンリンクサブフレームの位置を前記ユーザ端末が認識できなくても、本発明によって前記ユーザ端末はＤＡＩが１であるダウンリンクサブフレームのデータとＰＤＣＣＨを廃棄し固定されたＮＡＣＫ又はＤＲＸをフィードバックして、不一致を回避する。
【００６６】
受信状態フィードバック情報は以下で説明するようにＤＡＩが１であるダウンリンクサブフレームの位置に応じて生成され得る。また、Ｍは４と仮定し、フィードバック情報のタイプは各放送派成分に対応して生成される。
【００６７】
Ｍ個のダウンリンクサブフレームでＤＡＩが１であるダウンリンクサブフレームが１番目である場合、フィードバック情報はアップリンクサブフレームで４つのダウンリンクサブフレームのデータに対する受信状態フィードバック情報が伝送される方式で伝送される。サービスタイプとＤＡＩに基づいた順でデータを伝送するためのサブフレームの順序に基づいて受信状態フィードバック情報は１）最初の４つのダウンリンクサブフレームに対する受信状態フィードバック情報に対する全てのＡＣＫ、２）最初の３つのダウンリンクサブフレームに対する受信状態フィードバック情報に対する全てのＡＣＫ、３）最初の２つのダウンリンクサブフレームに対する受信状態フィードバック情報に対する２つのＡＣＫ、４）最初のダウンリンクサブフレームに対する受信状態フィードバック情報に対するＡＣＫ、５）最初のダウンリンクサブフレームに対する受信状態フィードバック情報のためのＮＡＣＫ又はＤＲＸである場合がある。
【００６８】
Ｍ個のダウンリンクサブフレームでＤＡＩが１であるダウンリンクサブフレームが１番目である場合、フィードバック情報はアップリンクサブフレームで３つのダウンリンクサブフレームのデータに対する受信状態フィードバック情報が伝送される方式で伝送される。サービスタイプとＤＡＩに基づいた順でデータを伝送するためのダウンリンクサブフレームの順序に基づいて受信状態フィードバック情報は１）最初の３つのダウンリンクサブフレームに対する受信状態フィードバック情報に対する全てのＡＣＫ、２）最初の２つのダウンリンクサブフレームに対する受信状態フィードバック情報に対する２つのＡＣＫ、３）最初のダウンリンクサブフレームに対する受信状態フィードバック情報に対するＡＣＫ、４）最初の２つのダウンリンクサブフレームに対する受信状態フィードバック情報に対するＡＣＫとＮＡＣＫ、５）最初のダウンリンクサブフレームに対する受信状態フィードバック情報に対するＮＡＣＫ及び、もし存在する場合は、２番目のダウンリンクサブフレームに対する受信状態フィードバック情報に対するｎｏｔ  ＡＣＫ、又は最初のダウンリンクサブフレームに対する受信状態フィードバック情報に対するＤＲＸを含むことができる
【００６９】
Ｍ個のダウンリンクサブフレームでＤＡＩが１であるダウンリンクサブフレームが３番目である場合、フィードバック情報はアップリンクサブフレームで２つのダウンリンクサブフレームのデータに対する受信状態フィードバック情報が伝送されるような方式で伝送される。サービスタイプとＤＡＩに基づいた順でデータを伝送するためのサブフレームの順序に基づいて受信状態フィードバック情報は、１）最初の２つのダウンリンクサブフレームに対する受信状態フィードバック情報に対する２つのＡＣＫ、２）最初のダウンリンクサブフレームに対する受信状態フィードバック情報に対するＡＣＫ、３）最初の２つのダウンリンクサブフレームに対する受信状態フィードバック情報のそれぞれに対するＡＣＫとＮＡＣＫ、４）最初のダウンリンクサブフレームに対する受信状態フィードバック情報に対するＮＡＣＫ及び、もし存在する場合は、２番目のダウンリンクサブフレームに対する受信状態フィードバック情報に対するｎｏｔ  ＡＣＫ、及び５）最初のダウンリンクサブフレームに対する受信状態フィードバック情報に対するＤＲＸを含むことができる。
【００７０】
Ｍ個のダウンリンクサブフレームでＤＡＩが１であるダウンリンクサブフレームが４番目である場合、フィードバック情報はアップリンクサブフレームで１つのダウンリンクサブフレームのみのデータに対する受信状態フィードバック情報が伝送される方式で伝送される。ＭＩＭＯデータ伝送の場合、２つのＴＢの完壁な受信状態フィードバック情報がフィードバックされ得る。すなわち、ＡＣＫ／ＮＡＣＫの２ビットとＤＲＸ状態、全部で５つの状態がフィードバックされ得る。ＭＩＭＯデータ伝送が適用されない場合は、３つのタイプのフィードバック状態、すなわち、ＡＣＫ、ＮＡＣＫ及びＤＲＸが、ナル状態の追加的な２つのタイプを有するＴＢに対して定義されることができ、全部で５つの状態タイプである。他の方案として、フィードバック状態の５つのタイプは他のＴＢの受信状態フィードバック情報が特定の固定値（ＡＣＫ又はＮＡＣＫ）を有する方式のようにマッピングされ得る。
【００７１】
ＤＡＩが１であるダウンリンクサブフレームの位置に応じてフィードバック状態を生成する方式の他の例を下記のように説明する。また、Ｍは４で、フィードバック状態の４つのタイプはそれぞれの搬送波成分に対応して生成される。
【００７２】
Ｍ個のダウンリンクサブフレームでＤＡＩが１であるダウンリンクサブフレームが１番目である場合、フィードバック情報はアップリンクサブフレームで４つのダウンリンクサブフレームのデータに対する受信状態フィードバック情報が伝送される方式で伝送される。サービスタイプとＤＡＩに基づいた順でデータを伝送するためのサブフレームの順序に基づいて、フィードバック状態は図６乃至図１１に示す方式のうち１つに応じてフィードバックされる。
【００７３】
Ｍ個のダウンリンクサブフレームでＤＡＩが１であるダウンリンクサブフレームが２番目である場合、フィードバック情報はアップリンクサブフレームで３つのダウンリンクサブフレームのデータに対する受信状態フィードバック情報が伝送される方式で伝送される。サービスタイプとＤＡＩに基づいた順でデータを伝送するためのサブフレームの順序に基づいて、前記フィードバック状態は図５で例示した方式に従ってフィードバックされる。
【００７４】
Ｍ個のダウンリンクサブフレームでＤＡＩが１であるダウンリンクサブフレームが３番目である場合、フィードバック情報はアップリンクサブフレームで２つのダウンリンクサブフレームのデータに対する受信状態フィードバック情報が伝送される方式で伝送される。サービスタイプとＤＡＩに基づいた順でデータを伝送するためのサブフレームの順序に基づいて、前記フィードバック状態は図４に例示した方式に従ってフィードバックされる。
【００７５】
Ｍ個のダウンリンクサブフレームでＤＡＩが１であるダウンリンクサブフレームが４番目である場合、フィードバック情報はアップリンクサブフレームで１つのダウンリンクサブフレームのデータに対する受信状態フィードバック情報が伝送される方式で伝送される。ＭＩＭＯデータ伝送の場合、２つのＴＢの完全な受信状態フィードバック情報、すなわち、ＡＣＫ／ＮＡＣＫ情報の２ビットがフィードバックされ得る。ＭＩＭＯデータ伝送が適用されない場合は、３つのタイプのフィードバック状態、すなわち、ＡＣＫ、ＮＡＣ及びＤＲＸが、ナル状態の追加的なタイプを有するＴＢに対して定義されることができ、全部で５つの状態である。他の方案として、フィードバック状態の５つのタイプは他のＴＢの受信状態フィードバック情報が特定の固定値（ＡＣＫ又はＮＡＣＫ）を有する方式のようにマッピングされ得る。図１のステップ１０３で、個別の搬送波成分のための受信状態フィードバック情報は伝送のために共同に符号化できる。例えば、それぞれの搬送波成分のためのフィードバック状態のタイプ数がＹで、搬送波成分の数がＮで、ｃｅｉｌ（ｌｏｇ２（Ｙ））ビットが各搬送波成分に対するフィードバック状態のＹタイプを示すために使用されると、ｃｅｉｌ（）が四捨五入を示す時、フィードバックされるビットの総数はＮｃｅｉｌ（ｌｏｇ２（Ｙ））になる。Ｎｃｅｉｌ（ｌｏｇ２（Ｙ））ビットはチャネル符号化されて伝送される。他の方案として、Ｎ個の搬送波成分に対する実際のフィードバック状態の総タイプ数はＹＮで、Ｃｅｉｌ（Ｎｌｏｇ２（Ｙ））ビットによって現れる。すると前記Ｎｃｅｉｌ（ｌｏｇ２（Ｙ））ビットはチャネル符号化されて伝送される。ここでチャネル符号化のための方法は畳み込み符号化（ｃｏｎｖｏｌｕｔｉｏｎ  ｃｏｄｉｎｇ）、ＲＭ符号化である場合がある。実際、Ｙが２の自乗である場合、上述した２つの方式は互いに同じである。最後に、前記チャネル符号化されたビットは後続の手順に応じてＡＣＫ／ＮＡＣＫチャネル（例えば、ＰＵＣＣＨフォーマット２又は３チャネル、など）に伝送される。
【００７６】
図１のステップ１０３で、個別的な搬送波成分のためのフィードバック状態はチャネル選択方式に従って伝送されることができる。フィードバック状態のＹタイプは各搬送波成分に対応してフィードバックされると仮定する。ここで、チャネル選択によるマッピングテーブルの定義で、フィードバック状態タイプはユーザ端末がＡＣＫとＮＡＣＫの組み合わせを受信する最初のＸ個のダウンリンクサブフレームのデータに対するフィードバック情報を意味し、最初のＸ個のダウンリンクサブフレームに対するデータに対応する全てのＡＣＫ／ＮＡＣＫチャネルを確認することができる。もし、各ダウンリンクサブフレームのデータがＳＰＳサービスのための準静的（ｓｅｍｉ−ｓｔａｔｉｃａｌｌｙ）に構成されるか、動的なスケジュールサービスのためにＰＤＣＣＨを介して得られる少なくとも１つのＡＣＫ／ＮＡＣＫチャネルに対応する場合、前記ＡＣＫ／ＮＡＣＫ情報はチャネル選択に基づいてＸ個のＡＣＫ／ＮＡＣＫチャネルでフィードバックされる。このような方式で、搬送波結合システムのためのチャネル選択に基づいたマッピングテーブルが定義される。特に、個別的な搬送波成分のためのフィードバック情報の各結合のために、ＡＣＫ／ＮＡＣＫチャネルとＱＰＳＫ配置点はフィードバック情報の結合に対応する活用可能なＡＣＫ／ＮＡＣＫチャネルから選択されることができる。
【００７７】
標準で複雑度も減少させるために、ＬＴＥ−Ａ  ＦＤＤのための４ビットマッピングテーブルはＬＴＥ−Ａ  ＴＤＤでマルチプレックスされる。搬送波成分の総数を２と仮定する。ＦＤＤシステムで、ＡＣＫ／ＮＡＣＫ情報の２ビットは各搬送波成分に対してフィードバックされ得る。したがって、ＴＤＤシステムでＡＣＫ／ＮＡＣＫ情報の２ビットは各搬送波成分に対してフィードバックされるべきである。例えば、フィードバック状態タイプの総数Ｙは４と同じである。ＦＤＤシステムで、２つのＡＣＫ／ＮＡＣＫチャネルは各搬送波成分に対する２つのＡＣＫ／ＮＡＣＫビットに対応する。したがって、ＴＤＤシステムで２つのＡＣＫ／ＮＡＣＫチャネルは各搬送波成分に対して獲得されなければならない必要がある。
【００７８】
特に、ＳＰＳサービスの不在状態でＰＣＣのために、２つのＡＣＫ／ＮＡＣＫチャネルはＤＡＩが１であるダウンリンクデータに対するＰＣＣＨから得られる。例えば、ＰＤＣＣＨの最小ＣＣＥインデックスをｎと仮定すると、２つのＡＣＫ／ＮＡＣＫチャネルはＣＣＥインデックスｎとｎ+１からＬＴＥ方式を用いたマッピングによって得られる。他の方案として、最初のＡＣＫ／ＮＡＣＫチャネルはＤＡＩが１であるダウンリンクデータに対するＰＤＣＣＨから決定され、２番目のＡＣＫ／ＮＡＣＫチャネルはＤＡＩが２であるダウンリンクデータに対するＰＤＣＣＨから決定される。他の方案として、最初のＡＣＫ／ＮＡＣＫチャネルはＤＡＩが１であるダウンリンクデータに対するＰＤＣＣＨから決定され、２番目のＡＣＫ／ＮＡＣＫチャネル、複数の候補チャネルは上位階層によって構成されることができ、ＳＣＣのＰＤＣＣＨに対するＡＲＩは実際使用されたチャネルを示すためにスケジュールされ得る。したがって、資源割り当てでの柔軟性が増加される。ＳＰＳサービスの場合、ＳＰＳサービスのために準静的に構成されたＡＣＫ／ＮＡＣＫチャネルはチャネル選択のために使用される。ここで、２つのＡＣＫ／ＮＡＣＫチャネルは上位階層によってＳＰＳサービスのために準静的に割り当てられることができる。したがって、ＳＰＳサービスが不在の状況でも、２つのＡＣＫ／ＮＡＣＫチャネルは活用可能で、空間プロセッシングが不要である。他の方案として、ＬＴＥ方式を用いて、上位階層は最初のＡＣＫ／ＮＡＣＫチャネル及び２番目のＡＣＫ／ＮＡＣＫチャネルとしての役割をする１つの準静的であるＡＣＫ／ＮＡＣＫチャネルを構成し、前記上位階層により複数の候補チャネルを構成し、ＳＣＣのＰＤＣＣＨに対するＡＲＩを実際私用されたチャネルを示すようにスケジュールすることで、資源割り当てで柔軟性を増加させることができる。さらに他の方案として、ＬＴＥ方式を用いて、上位階層は最初のＡＣＫ／ＮＡＣＫチャネルでの役割をする１つの準静的であるＡＣＫ／ＮＡＣＫチャネルを構成し、ＤＡＩが１であるダウンリンクデータに対するＰＤＣＣＨから決定されたＡＣＫ／ＮＡＣＫは２番目のＡＣＫ／ＮＡＣＫチャネルとしての役割をする。
【００７９】
ＳＰＳサービスが不在の状態で、交差搬送波成分スケジューリングを適用するＳＣＣに対して２つのＡＣＫ／ＮＡＣＫチャネルはＤＡＩが１であるダウンリンクデータに対するＰＤＣＣＨから得られる。例えば、ＰＤＣＣＨの最小ＣＣＥインデックスをｎと仮定すると、２つのＡＣＫ／ＮＡＣＫチャネルはＬＴＥ方式を用いてマッピングによってＣＣＥインデックスｎとｎ+１から得られる。他の方案として、最初のＡＣＫ／ＮＡＣＫチャネルはＤＡＩが１であるダウンリンクデータに対するＰＤＣＣＨから決定され、２番目のＡＣＫ／ＮＡＣＫチャネルはＤＡＩが２であるダウンリンクデータに対するＰＤＣＣＨから決定される。他の方案として、最初のＡＣＫ／ＮＡＣＫチャネルはＤＡＩが１であるダウンリンクデータと２番目のＡＣＫ／ＮＡＣＫチャネルに対するＰＤＣＣＨから決定され、複数の候補チャネルは上位階層によって構成され、ＳＣＣのＰＤＣＣＨに対するＡＲＩは実際使用されるチャネルを示すためにスケジュールされることで、資源割り当てで柔軟性を増加させる。ＳＣＣに対して交差成分スケジューリングを適用しない場合、２つのＡＣＫ／ＮＡＣＫチャネルは上位階層によって構成され、ＡＲＩによって示される。特に、複数の候補チャネルは上位階層によって構成され、ＳＣＣのＰＤＣＣＨに対するＡＲＩは実質的に使用される２つのチャネルを示すためにスケジュールされることによって、資源割り当てで柔軟性を増加させる。
【００８０】
上述した方式に従ってＡＣＫ／ＮＡＣＫチャネルを割り当てた後、ＰＣＣに対する２つのＡＣＫ／ＮＡＣＫチャネルがチャネル１とチャネル２に定義され、ＳＣＣに対する２つのチャネルがチャネル３とチャネル４に定義される。次に、各搬送波成分に対するフィードバック状態の４つのタイプと各搬送波成分に対する２ビットＡＣＫ／ＮＡＣＫ情報タイプの間の対応関係はＦＤＤに対するマッピングテーブルで追加的に定義される。例えば、図７に示すマッピング関係が適用され得る。このような方式で、ＦＤＤに対する４ビットマッピングテーブルは上述したチャネル選択方式とマッピング関係を有するＴＤＤシステムでマルチプレックスされる。
【００８１】
図３は、本発明の実施形態によるＬＴＥ−ＡＦＤＤシステムで適用される４ビットマッピングテーブルを示している。
【００８２】
図３を参照すると、４ビットマッピングテーブルは図３に示したように構成されることができる。前記ＬＴＥ−Ａ  ＴＤＤで、フィードバック状態タイプは図４、５及び６に示す方式のうち１つの方式によってＭ個の互いに異なる値に対して定義されることができ、ＦＤＤのためのマッピングテーブルで各搬送波成分に対する２ビットＡＣＫ／ＮＡＣＫ情報タイプとフィードバック状態タイプの間のマッピング関係は図７に示したように適用され得る。
【００８３】
図７は、本発明の実施形態によるＦＤＤテーブルでフィードバック状態と２ビットＡＣＫ／ＮＡＣＫの間のマッピング関係を示している。
【００８４】
図７を参照すると、フィードバック状態タイプ４）はフィードバック情報ＮＡＣＫ又はＤＲＸをすべて示すため、２ビット（Ｎ，Ｎ）にマッピングされる。フィードバック状態タイプ３）は図３に示す４ビットマッピングテーブルから決定された２ビット（Ａ，Ｎ）にマッピングされる。ＴＤＤシステムでユーザ端末がＰＣＣからＳＰＳデータの１ピースのみを受信する時、前記ユーザ端末はＳＰＳサービスのために準静的に構成された１つのＡＣＫ／ＮＡＣＫチャネルを有する。このような状況でＡＣＫ／ＮＡＣＫフィードバック情報を示すために、選択されたＡＣＫ／ＮＡＣＫチャネルはＳＰＳサービスのために準静的に構成されたＡＣＫ／ＮＡＣＫチャネル、またはＳＣＣのＡＣＫ／ＮＡＣＫチャネルである場合がある。図３で、上述した要求事項はＰＣＣのためのフィードバック情報が（Ａ，Ｎ）の場合、すなわち、選択されたＡＣＫ／ＮＡＣＫチャネルがＰＣＣの最初のＡＣＫ／ＮＡＣＫチャネルであるか、対応するＳＣＣのＡＣＫ／ＮＡＣＫである場合に満たされる。次に、ＡＣＫ／ＮＡＣＫチャネルは上述した方式のうち１つの方式に従って割り当てられる。ここで注目すべき点は、図３で、ＳＣＣに対する２ビットは（Ａ，Ｎ）、（Ｎ，Ａ）と（Ａ，Ａ）結合のうちいずれか１つを示し、ＳＣＣの２つの候補チャネルはチャネル選択を支援するために構成されるべきであることである。ユーザ端末がＳＣＣからＤＡＩが１である１つのダウンリンクサブフレームのデータを受信するので、基地局は実質的にＳＣＣを介してＤＡＩが１である１つのサブフレームデータのみを伝送する。したがって、ＤＡＩが１である１つのダウンリンクサブフレームのデータに対するＡＣＫ／ＮＡＣＫチャネルを決定してＤＡＩが２である１つのダウンリンクサブフレームのデータに対する他のＡＣＫ／ＮＡＣＫチャネルを決定することは実用的ではない。それに対し、前記ＡＣＫ／ＮＡＣＫチャネルはチャネル選択のために充分ではない可能性がある。結論として、フィードバック状態のマッピングが決定された後に前記ＡＣＫ／ＮＡＣＫチャネルを使用するために割り当てられ、ＰＣＣのための最初の及び２番目のＡＣＫ／ＮＡＣＫチャネルはチャネル１とチャネル２にそれぞれ定義され、ＳＣＣのための最初の及び２番目のＡＣＫ／ＮＡＣＫチャネルはチャネル３とチャネル４にそれぞれ定義されることによって、図
３に示したようにＦＤＤのための４ビットマッピングテーブルを完全にマルチプレックスする 。
【００８５】
ＦＤＤのための４ビットテーブルで、ＰセルとＳセルに対するフィードバック状態タイプは両方とも（Ｎ，Ｎ）又はＤＲＸである時、Ｐセルに対するフィードバック状態タイプを（Ｎ，Ｎ）とＤＲＸのうちいずれか１つに識別できる。したがって、ＴＤＤシステムで、ＰセルとＳセルに対するフィードバック状態タイプが両方ともフィードバック状態タイプ４）である時、Ｐセルに対するフィードバック状態タイプ４）の２つの異なる場合があり得る。第１の場合は、ＳＰＳサービスが適用されず、ＤＡＩからＤＡＩが１であるＰＤＣＣＨがロスしたことをユーザ端末が決定する時、前記ユーザ端末が活用可能なＡＣＫ／ＮＡＣＫチャネルが全くない場合もある。第２の場合はフィードバック状態タイプ４）の第１の場合以外の場合に対するフィードバック情報をいう。特に、２番目の場合において、ＳＰＳサービスは少なくとも１つの活用可能なＡＣＫ／ＮＡＣＫチャネルを有するユーザ端末で構成されるかＳＰＳデータが不在の状態で、ユーザ端末はＤＡＩが１であるＰＤＣＣＨに対してスケジュールされた動的データを受信し、ここで前記ユーザ端末は少なくとも１つの活用可能なＡＣＫ／ＮＡＣＫチャネルを有し得る。このような方式で、図３に示すテーブルで（Ｎ，Ｎ，Ｎ，Ｎ）と（Ｎ，Ｎ，Ｄ，Ｄ）に対応するチャネルと配置点はＳセルに対するフィードバック状態タイプ４）とＰセルに対するフィードバック状態タイプ４）の２番目の場合を示す。一方、図３に示すテーブルで（Ｄ，Ｄ，Ｎ，Ｎ）と（Ｄ，Ｄ，Ｄ，Ｄ）に対応するので、ユーザ端末はＳセルに対するフィードバック状態タイプ４）とＰセルに対するフィードバック状態タイプ４）の最初の場合を示すいかなるアップリンク信号をも伝送しない。
【００８６】
上述した説明では図３に示すテーブルを参照して本発明による方式を示した。以下では独立して存在する４つのＡＣＫ／ＮＡＣＫチャネルを支援する４ビットマッピングテーブルを参照して本発明による方式を詳細に説明する。
【００８７】
図１２は、本発明の実施形態によって他の４ビットマッピングテーブルを示している。
【００８８】
図１２に示したマッピングテーブルを参照する。図４、５及び６に示した方法はＭ個の異なるの値に対するフィードバック状態タイプを定義するために適用され、２ビットＡＣＫ／ＮＡＣＫ情報タイプとフィードバック状態タイプの間の関係をマッピングするために適用される。また、図３でフィードバック情報ＮをＮＡＣＫ又はＤＲＸに解析して前記図７に示したテーブルは図１３に示すマッピングテーブルに拡張されることもできる。図１３ではフィードバック状態タイプ４）の２つの異なる場合に対して示している。第１の場合、ＳＰＳサービスが適用されず、ユーザ端末がＤＡＩが１であるＰＤＣＣＨがロスしたことをＤＡＩから決定する時、ユーザ端末は図１２に、例を挙げて示したようなマッピングテーブルでフィードバック情報（Ｄ，Ｎ／Ｄ）に対応する、活用可能なＡＣＫ／ＮＡＣＫチャネルを全く持たない場合もある。第２の場合はフィードバック状態タイプ４）の最初の場合以外の場合でフィードバック情報をいう。特に、２番目の場合で、ＳＰＳサービスは少なくとも１つの活用可能なＡＣＫ／ＮＡＣＫチャネルを有するユーザ端末で構成されるか、ＳＰＳデータが不在状態の時、前記ユーザ端末はＤＡＩが１であるＰＤＣＣＨに対してスケジュールされた動的データを受信する。ここで前記ユーザ端末は少なくとも１つの活用可能なＡＣＫ／ＮＡＣＫチャネルを有する。このような方式で、図１３による２ビットＡＣＫ／ＮＡＣＫ情報タイプとフィードバック状態タイプの間にマッピングを行った後、ＡＣＫ／ＮＡＣＫ情報は、例えば、図１２に示したような４ビットマッピングテーブルに応じてチャネル選択方式を用いてフィードバックされる。
【００８９】
図１３は、本発明の実施形態によってフィードバック状態と２ビットＡＣＫ／ＮＡＣＫの間のマッピング関係を示している。
【００９０】
図１３を参照すると、フィードバック状態タイプ４）はＮＡＣＫ又はＤＲＸを示すために２ビット（Ｎ／Ｄ，Ｎ／Ｄ）にマッピングされるべきである。図１２に示したマッピングテーブルで、ＰセルとＳセルのフィードバック状態タイプがフィードバック状態タイプ４）である場合、これは、実際Ｐセルのフィードバック状態タイプがフィードバック状態タイプ４）の２つの場合のうち１つであることを示す。Ｐセルのフィードバック状態タイプがフィードバック状態タイプ４）の２番目の場合である場合、ＡＣＫ／ＮＡＣＫチャネルのＱＰＳＫ配置点は確実にアップリンク伝送のために使用される。図１２に示したマッピングテーブルで前記ＡＣＫ／ＮＡＣＫチャネルはｈ０に対応する。図１３で、フィードバック状態タイプ３）は２ビット（Ａ，Ｎ／Ｄ）にマッピングされる。１つの搬送波成分に対するフィードバック状態タイプ３）を示す時、現在ユーザ端末は１つのサブフレームのデータのみを受信することができ、したがって１つのみの活用可能なＡＣＫ／ＮＡＣＫチャネルを有する。ＰＣＣに対して例えば述べると、ユーザ端末がＰＣＣからＳＰＳデータの１ピースのみを受信する時、ＳＰＳサービスに対して準静的に構成された１つのＡＣＫ／ＮＡＣＫチャネルのみが活用できる。この場合、アップリンクフィードバックを伝送するために、ユーザ端末はＡＣＫ／ＮＡＣＫチャネルとして、ＳＰＳサービスに対して準静的に構成された前記ＡＣＫ／ＮＡＣＫチャネル又はＳＣＣのＡＣＫ／ＮＡＣＫチャネルを選択する。上述したフィードバック状態タイプ４）の分析によれば、前記ＡＣＫ／ＮＡＣＫチャネルは図１２に示すマッピングテーブルでｈ０に対応し、ｈ１は存在しない。図１２で、ＰＣＣに対するフィードバック情報が（Ａ，Ｎ／Ｄ）である場合、選択されたチャネルはｈ０又はＳＣＣのチャネル（ｈ２又はＨ３）になり、ｈ１はなることができない。したがって、フィードバック状態タイプ３）は２ビット（Ａ，Ｎ／Ｄ）にマッピングされなければならない。１つの搬送波成分に対してフィードバック状態タイプ１）と２）を示す時、ユーザ端末は少なくとも２つのサブフレームのデータを受信することができ、したがって少なくとも２つの活用可能なＡＣＫ／ＮＡＣＫチャネルを有し得る。したがって、マッピングされたＡＣＫ／ＮＡＣＫ情報の２ピースは限定される必要がない。図１３で、
フィードバック状態タイプ１）は（Ａ，Ａ）にマッピングされフィードバック状態タイプ２）は（Ｎ／Ｄ，Ａ）にマッピングされる。結論として、フィードバック状態のマッピングが決定され使用するためのＡＣＫ／ＮＡＣＫチャネルが割り当てられた後、ＰＣＣに対する最初及び２番目のＡＣＫ／ＮＡＣＫチャネルはチャネル１とチャネル２にそれぞれ定義され、ＳＣＣに対する最初の及び２番目のＡＣＫ／ＮＡＣＫチャネルはそれぞれチャネル３とチャネル４に定義されることによって、図１２に例を挙げて示したようにＦＤＤに対する４ビットマッピングテーブルをマルチプレキシングできる。
【００９１】
ＬＴＥ−Ａ  ＴＤＤに対する搬送波結合を支援するチャネル選択方式はバックアップ動作を支援する。すなわち、前記ユーザ端末がＰＣＣのデータを受信する時、前記方式はＬＴＥでＡＣＫ／ＮＡＣＫマルチプレキシングのためにバックアップされ得る。ここで、バンドリングウィンドウでダウンリンクサブフレームはＭに定義され、ＡＣＫ／ＮＡＣＫ情報の１ピースがそれぞれのダウンリンクサブフレームのために得られ、ＡＣＫ／ＮＡＣＫチャネルが前記バンドリングウィンドウでそれぞれのダウンリンクサブフレームのために絶対的に割り当てられ、すなわち、Ｍ個のチャネルが絶対的に得られ、前記チャネル選択方式はＡＣＫ／ＮＡＣＫ情報のＭ個のピースをフィードバックするために使用される。前記チャネル選択マッピングテーブルはＬＴＥで定義されたテーブルである場合もあり、前記テーブルは図１２に示したようなテーブル又は他のテーブルである場合がある。ＬＴＥ方法によって、活用可能なＡＣＫ／ＮＡＣＫチャネルはバンドリングウィンドウで各サブフレームに対するＰＤＣＣＨの最小ＣＣＥインデックスから得られる。ユーザ端末が少なくとも１つのＳＣＣからサブフレームのデータを受信する時、本発明によって搬送波結合方式を支援するチャネル選択方式が適用される。また、前記ＳＣＣに対するＡＣＫ／ＮＡＣＫチャネルの割り当ては上述のようなチャネル選択方式に適用できる。前記ＰＣＣに対したＡＣＫ／ＮＡＣＫチャネル割り当てに対して、バンドリングウィンドウで各サブフレームに対する１つのＡＣＫ／ＮＡＣＫチャネルはバックアップ動作時に使用されている。すなわち、上位階層によって準静的に構成された１つのＡＣＫ／ＮＡＣＫチャネルがＳＰＳデータを伝送するサブフレームのために使用されるか、ＰＤＣＣＨの最小ＣＣＥインデックスからマッピングされたＡＣＫ／ＮＡＣＫチャネルが動的データのために使用される。このような方式で、ＳＰＳサービスの不在状態でＰＣＣに対するＡＣＫ／ＮＡＣＫチャネルの割り当て時に、最初のＡＣＫ／ＮＡＣＫチャネルはＤＡＩが１であるダウンリンクデータに対するＰＤＣＣＨから決定され得るが、ＰＤＣＣＨの最小ＣＣＥインデックスからマッピングされたＡＣＫ／ＮＡＣＫチャネルは使用されず、２番目のＡＣＫ／ＮＡＣＫチャネルはＤＡＩが２であるダウンリンクデータに対するＰＤＣＣＨから決定され得るが、
ＰＤＣＣＨの最小ＣＣＥインデックスからマッピングされたＡＣＫ／ＮＡＣＫチャネルは使用されない。他の方案として、前記最初のＡＣＫ／ＮＡＣＫチャネルはＤＡＩが１であるダウンリンクデータに対するＰＤＣＣＨから決定され得るが、ＰＤＣＣＨの最小ＣＣＥインデックスからマッピングされたＡＣＫ／ＮＡＣＫチャネルは使用されず、２番目のＡＣＫ／ＮＡＣＫチャネルのために、複数の候補チャネルは上位階層によって構成されることができ、ＳＣＣのＰＤＣＣＨに対するＡＲＩは実際使用されたチャネルを示すためにスケジュールされることで、資源割り当てで柔軟性を増加させることができる。他の代案として、２つのＡＣＫ／ＮＡＣＫチャネルは上位階層によって構成され、ＡＲＩによって示される。特に、複数の候補チャネルは上位階層によって構成されＳＣＣのＰＤＣＣＨに対するＡＲＩは実際使用されたチャネルを示すためにスケジュールされることで、資源割り当てで柔軟性を増加させることができる。ＳＰＳサービスの場合に、ＰＣＣに対するＡＣＫ／ＮＡＣＫチャネルの割り当て時、２つのＡＣＫ／ＮＡＣＫチャネルは上位階層によって構成されることができ、ＡＲＩによって示される。特に、複数の候補チャネルは上位階層によって構成され、ＳＣＣのＰＤＣＣＨに対するＡＲＩは実際使用されたチャネルを示すためにスケジュールされることで、資源割り当てで柔軟性を増加させることができる。代案として、最初のＡＣＫ／ＮＡＣＫチャネルは上位階層によって構成されＡＲＩによって示される。特に、複数の候補チャネルは上位階層によって構成され、ＳＣＣのＰＤＣＣＨに対するＡＲＩは実際使用されたチャネルを示すためにスケジュールされることで、資源割り当てで柔軟性を増加させる。そして２番目のＡＣＫ／ＮＡＣＫチャネルはＤＡＩが１であるダウンリンクデータに対するＰＤＤＣＨから決定され得るが、ＰＤＣＣＨの最小ＣＣＥインデックスからマッピングされたＡＣＫ／ＮＡＣＫチャネルは使用されない。
【００９２】
図１４は、本発明の実施形態によって受信状態データをフィードバックするためのユーザ端末のブロック構成を示している。前記図１４に示すようにユーザ端末はデュプレクサ１４００、受信モデム１４０２、メッセージ処理部１４０４、制御部１４０６、ＨＡＲＱ制御部１４０８、メッセージ生成部１４１０及び送信モデム１４１２を含んで構成される。
【００９３】
前記デュプレクサ１４００はデュプレックス方式に従って前記送信モデム１４１２から提供された送信信号をアンテナを介して送信し、アンテナからの受信信号を受信モデム１４０２に提供する。
【００９４】
前記受信モデム１４０２は前記デュプレクサ１４００から提供された高周波信号を基底帯域信号に変換して復調する。この時、前記受信モデム１４０２はＲＦ処理ブロック、復調ブロック、チャネル復号ブロックなどを含んで構成されることができる。前記ＲＦ処理ブロックは前記制御部１４０６の制御に応じて前記デュプレクサ１４００から提供された高周波信号を基底帯域信号に変換して出力する。前記復調ブロックは前記ＲＦ処理ブロックから提供された信号から各副搬送波に載せたデータを抽出するためのＦＦＴ（Ｆａｓｔ  Ｆｏｕｒｉｅｒ  Ｔｒａｎｓｆｏｒｍ）演算器などで構成される。前記チャネル復号ブロックは復調器、デインターリーバ及びチャネルデコーダなどで構成される。
【００９５】
前記メッセージ処理部１４０４は前記受信モデム１４０２から提供された信号から制御情報を抽出して前記制御部１４０６に提供する。
【００９６】
前記制御部１４０６は前記ユーザ端末の全般的な動作を制御する。さらに、前記制御部１４０６は基地局から受信されたダウンリンクデータに対するＡＣＫ／ＮＡＣＫを前記基地局にフィードバックするように制御する。この時、前記制御部１４０６は前記ＨＡＲＱ制御部１４０８の制御に応じて基地局から受信されたダウンリンクデータに対する受信状態を示すフィードバック情報を前記基地局に伝送するための機能を制御及び処理する。
【００９７】
前記ＨＡＲＱ制御部１４０８は各搬送波成分に対してユーザ端末にデータを伝送するためのダウンリンクサブフレームを順に整列した後、前記ダウンリンクサブフレームの順に沿って最初のＸ個のダウンリンクサブフレームに対する受信状態フィードバック情報を各搬送波成分に対して生成し、各搬送波成分に対して生成された受信状態フィードバック情報を前記制御部１４０６に出力して基地局に伝送するための機能を制御及び処理する。ここで、前記Ｘはダウンリンクサブフレームの数を示すＭより小さいか等しい値を有する。また、前記ＨＡＲＱ制御部１４０８はそれぞれのダウンリンクサブフレームで２つのコードワードのために受信状態フィードバック情報で空間バンドリングを行うための機能を制御及び処理できる。すなわち、前記ＨＡＲＱ制御部１４０８は図１乃至図１３を参照して説明した通り、受信状態フィードバック情報を基地局に伝送するために必要な動作を行う。
【００９８】
前記メッセージ生成部１４１０は前記制御部１４０６の制御に応じてＡＣＫ／ＮＡＣＫフィードバックのための制御メッセージを生成する。
【００９９】
前記送信モデム１４１２は基地局に伝送するデータ及び前記メッセージ生成部１４１０から提供された制御メッセージを符号化及び高周波信号に変換して前記デュプレクサ１４００に伝送する。前記送信モデム１４１２はチャネル符号ブロック、変調ブロック、ＲＦ処理ブロックなどを含んで構成されることができる。前記チャネル符号ブロックは変調器、インターリーバ及びチャネルエンコーダなどで構成される。前記変調ブロックは前記チャネル符号ブロックから提供された信号を各副搬送波にマッピングするためのＩＦＦＴ演算器などで構成される。前記ＲＦ処理ブロックは前記変調ブロックから提供された基底帯域信号を高周波信号に変換して前記デュプレクサ１４００に出力する。
【０１００】
上述した説明で述べたように、本発明による方法は以下のような長所を有する。
上述のとおり、本発明によるユーザ端末は各搬送波成分に関するデータ伝送のためのダウンリンクサブフレームを順に整列し、順に整列した結果に応じて最初のＸ個のダウンリンクサブフレームに対する受信状態フィードバック情報を生成し、前記各搬送波成分に対する受信状態フィードバック情報を基地局に伝送する。前記ユーザ端末がＸ個のダウンリンクサブフレームに対する受信状態のみを報告するため、前記基地局は最初のＸ個のダウンリンクサブフレームでＨＡＲＱ処理を行うことができる。最後のＭ−Ｘ個のダウンリンクサブフレームに対して、前記基地局は端末がＰＤＣＣＨを受信しなかったと仮定した上でプロセスを行う。したがって、前記基地局は端末の受信状態に対して端末と一致させることができ、受信及び受信フィードバックの間に基地局との不一致によってダウンリンクサブフレームに対する受信状態を誤って解釈しないように保証して效率的にＨＡＲＱ伝送を行うことができる。さらに、本発明は受信状態フィードバック情報によって占有されたアップリンクオーバーヘッドを減少させることができ、受信状態フィードバック情報のピース数の減少によってアップリンクカバレッジを増加させることができる。
【０１０１】
本発明によれば、受信状態フィードバック情報の形態はＭ個のダウンリンクサブフレームでＤＡＩが１であるダウンリンクサブフレームの位置に応じて柔軟に変更され得る。したがって、各搬送波成分に対する受信状態フィードバック情報に対する情報量はオーバーヘッドが増加することなく最大の大きさまで増加する。
【０１０２】
一方、本発明を実施するための形態では具体的な実施形態について説明したが、本発明の範囲から逸脱しない限度内で様々な変形が可能である。したがって本発明の範囲は説明された実施形態に限定されて定められてはならず、後述する特許請求の範囲のみでなくこの特許請求の範囲と均等なものによって定められるべきである。
【符号の説明】
【０１０３】
１４００    デュプレクサ
１４０２    受信モデム
１４０４    メッセージ処理部
１４０６    制御部
１４０８    ＨＡＲＱ制御部
１４１０    メッセージ生成部
１４１２    送信モデム
【図１】
2013526210.tif 000003
【図２】
2013526210.tif 000004
【図３】
2013526210.tif 000005
【図４】
2013526210.tif 000006
【図５】
2013526210.tif 000007
【図６】
2013526210.tif 000008
【図７】
2013526210.tif 000009
【図８】
2013526210.tif 000010
【図９】
2013526210.tif 000011
【図１０】
2013526210.tif 000012
【図１１】
2013526210.tif 000013
【図１２】
2013526210.tif 000014
【図１３】
2013526210.tif 000015
【図１４】
2013526210.tif 000016
【国際調査報告】
2013526210.tif 000017
2013526210.tif 000018